(57)【要約】      （修正有）【課題】外引き出しと内引き出しとが連動して引き出される引き出し付きキャビネットに対して付勢手段を設けた場合であっても、引き出し始めから引き出し終りまでの操作性が良好な引き出し付きキャビネットを提供する。【解決手段】外引出に設けられた下側ラック５０１と、これに噛み合う下側ギヤ５０２及び下側ギヤ５０２に噛み合う上側ギア５２０とをキャビネット側板に設けたギアプレートに取り付け、さらにこの上側ギア５２０と噛み合う上側ラック５０４を内引き出しのスライドライドレールに取り付ける。このラックとギア及び上側ラック５０４に回動自在に付けられたラック送りピン５０５と上側ギヤの突起部５２１が噛み合って内引き出しが外引き出しに連動する。【選択図】図５
2011250869.tif 000002
【特許請求の範囲】
【請求項１】
キャビネット本体と、
前記キャビネット本体に引き出し可能に設けられた外引き出しと、
前記外引き出しの内側に引き出し可能に設けられた内引き出しと、
前記外引き出しの引き出し動作に連動して内引き出しが引き出される連動機構と、
前記外引き出しを全閉する直前において、前記外引き出しを全閉方向に付勢する付勢手段と、を備えた引き出し付きキャビネットであって、
前記外引き出しは、前記付勢手段の影響を受けて引き出すための操作力が重くなる第１の領域と、前記付勢手段の影響が無くなり前記第１の領域よりも引き出すための操作力が軽くなる第２の領域とがあり、
前記外引き出しが前記第１の領域から前記第２の領域に切り替わるのに合わせて、前記連動機構によって前記外引き出しと前記内引き出しとが連動して引き出され始めることを特徴とする引き出し付きキャビネット。
【発明の詳細な説明】
【技術分野】
【０００１】
本発明は、外引き出しと内引き出しとが連動して引き出される引き出し付きキャビネットに係り、特に引き出しの操作力を軽減するのに好適な連動機構を用いた引き出し付きキャビネットに関する発明である。
【背景技術】
【０００２】
従来、引き出しの上部空間を有効に利用しようと、引き出し上部空間に内引き出しを備えたキャビネットが知られているが、内引き出しを開けるためには、外引き出しを引き出した後に内引き出しを引き出すといった２つの動作が必要であり、その使い勝手は良いものではなかった。そこで、外引き出しと内引き出しとが連動して引き出される連動機構を備えたものが知られている。例えば、特許文献１に開示されている連動機構は、外引き出しと内引出しとが同時に引き出され始めるものである。また、特許文献２に開示されている連動機構は、外引き出しが全開直前まで引き出された時に、内引き出しが外引き出しとともに引き出され始めるものである。
【先行技術文献】
【特許文献】
【０００３】
【特許文献１】特開２００９−０９５５４４号公報
【特許文献２】特開２０１０−１１９４２号公報
【発明の概要】
【発明が解決しようとする課題】
【０００４】
近年、キッチンや洗面化粧台に取り付けられる引き出しには、引き出しを全閉する直前において、バネ等の付勢手段によって全閉方向に付勢することで引き出しが確実に閉まるようにしたものが主流となってきている。この付勢手段を設けた引き出しは上述したメリットがある一方で、引き出し始めにバネ等の付勢手段の抗力に逆らって引き出しを引き出す必要があり、引き始めの操作が非常に重くなるというデメリットがある。
【０００５】
ここで特許文献１のように、外引き出しと内引出しとが同時に引き出され始めるもので、この外引き出しに付勢手段を設けた場合には、外引き出しと内引き出しの重みに加えて、付勢手段の効力に逆らって引き出す必要があるため、引き出し始めの操作が非常に重くなるという課題がある。
【０００６】
また、特許文献２のように、外引き出しが全開直前まで引き出された時に、内引き出しが外引き出しとともに引き出され始めるもので、この外引き出しに付勢手段を設けた場合には、引き出しを全閉状態から全開状態に移動する過程において、付勢手段の抗力がかからなくなった後、いったん引き出し操作が軽くなる。その後、外引き出しをさらに引き出すと内引き出しが引き出され始めることになるため、その引き出し操作は再び重くなる。このように引き出し操作が軽くなった後に、再び重くなることになるため、引き出し操作性が悪くなるという課題がある。
【０００７】
本発明は上述した課題に鑑みてなされたものであり、外引き出しと内引き出しとが連動して引き出される引き出し付きキャビネットに対して付勢手段を設けた場合であっても、引き出し始めから引き出し終りまでの操作性が良好な引き出し付きキャビネットを提供することを目的とする。より具体的には、引き出し始めの操作力を緩和でき、且つ引き出すための操作力が軽くなった後に、再び急激に重くなるようなことがない引き出し付きキャビネットを提供することを目的とする。
【課題を解決するための手段】
【０００８】
上記目的を達成するために請求項１記載の発明によれば、キャビネット本体と、前記キャビネット本体に引き出し可能に設けられた外引き出しと、前記外引き出しの内側に引き出し可能に設けられた内引き出しと、前記外引き出しの引き出し動作に連動して内引き出しが引き出される連動機構と、前記外引き出しを全閉する直前において、前記外引き出しを全閉方向に付勢する付勢手段と、を備えた引き出し付きキャビネットであって、前記外引き出しは、前記付勢手段の影響を受けて引き出すための操作力が重くなる第１の領域と、前記付勢手段の影響が無くなり前記第１の領域よりも引き出すための操作力が軽くなる第２の領域とがあり、前記外引き出しが前記第１の領域から前記第２の領域に切り替わるのに合わせて、前記連動機構によって前記外引き出しと内引き出しとが連動して引き出され始めることを特徴としている。
【０００９】
本発明によれば、外引き出しと内引出しとが同時に引き出され始めるものではない、言い換えると外引き出しに対して遅れて内引き出しが引き出され始めるものであるため、引き出し始めの操作力を軽くすることができる。また、外引き出しに設けられた付勢手段の影響がなくなるのに合わせて内引き出しが連動して引き出され始めるようにしたため、引き出し操作が軽くなった後に、再び重くなるようなことを防止でき、引き出し始めから引き出し終りまでの一連の引き出し操作性を良好にすることができる。
尚、内引き出しが連動し始めるのは、付勢手段の影響がなくなるのと同時、若しくは付勢手段の影響がなくなってから僅かにタイミングを遅らせたものも含むものとする。僅かにタイミングを遅らせた場合であっても本発明の効果を奏する理由は、外引き出しの引き出し速度を考慮すると、厳密には一瞬、重さが軽くなったとしても使用者はそれをほとんど感じることがないため、付勢手段の影響がなくなるのと同時に内引き出しが引き出され始める場合と、同等の操作性を有することができるためである。
【発明の効果】
【００１０】
本発明によれば、外引き出しと内引き出しとが連動して引き出される引き出し付きキャビネットに対して付勢手段を設けた場合であっても、引き出し始めから引き出し終りまでの操作性が良好な引き出し付きキャビネットを提供することができる。より具体的には、引き出し始めの操作力を緩和でき、且つ引き出すための操作力が軽くなった後に、再び急激に重くなるようなことがない引き出し付きキャビネットを提供することができる。
【図面の簡単な説明】
【００１１】
【図１】本発明の引き出し付きキャビネットを示す全体構成斜視図である。
【図２】本発明の内引き出しの高さ可変機構の構造を示す部分分解図である。
【図３】本発明の連動機構周辺（図１のＡ部）を示す詳細図である。
【図４】図３のＢ部を示す詳細図である。
【図５】本発明の連動機構周辺を示す詳細図である。
【図６】従来の引き出しおよび本発明の連動引き出しの操作力を示す操作力−開口距離線図である。
【図７】（Ａ）〜（Ｇ）本発明の連動引き出しの開口操作状況を示す簡略図である。
【図８】（Ａ）〜（Ｃ）本発明のラック送りピン周辺の開口時の動きを示す斜視図である。
【図９】本発明の連動引き出しの閉口操作状況を示す簡略図である。
【図１０】本発明のラック送りピン周辺の閉口時の動きを示す斜視図である。
【図１１】本発明の内取っ手の第二の実施例を示す斜視図である。
【発明を実施するための形態】
【実施例】
【００１２】
以下、本発明の実施形態を、図を用いて説明する。
図１は本発明の引き出し付きキャビネットの構造を示す透明斜視図である。
引き出し付きキャビネットは、前面が開口したキャビネット１００と、その開口部を塞ぐ前板を備えた上段引き出し２００および外引き出し４００と、外引き出し４００の上方空間に位置する内引き出し３００を備えている。また、上段引き出し２００と外引き出し４００はスライドレール（図では省略）によってキャビネット１００に対し前後方向スライド自在に構成されており、内引き出し３００はスライドレール３０５によって、キャビネット１００に対し前後方向スライド自在に構成されている。さらに、内引き出し３００は連動機構５００によって、外引き出し４００を引き出すことで内引き出し３００も引き出される構造となっている。これにより、外引き出し４００を引き出すだけで、内引き出し３００を個別に引き出す必要がなくなり、使い勝手が向上する。
なお、ここで挙げたスライドレールはいずれもソフトクローズ機構を有し、その閉止動作の終端ではブレーキがかかる構造となっている。ソフトクローズ機構とは、引き出しを閉じる時に、全閉直前でゆっくり確実に閉まるようにしたもので、ダンパーと、ダンパーに対して全閉方向に付勢するバネ（付勢手段）とから構成されているものである。
【００１３】
キャビネット１００は、２枚のキャビネット側板１０１と、キャビネット裏板１０２と、天板（透視図のため図示せず）と、キャビネット底板１０４で形成され、前方が開口している。
外引き出し４００は、キャビネット開口部の一部をふさぐ外化粧板４０１と、左右の外サイドパネル４０２と、外底板４０３と、外背板４０４と、外サイドパネル４０２の上方で両端を外化粧板４０１と外背板４０４に固定した左右の外ギャラリーバー４０５と、で構成される。
内引き出し３００は、内前板３０１と、内サイドパネル３０２と、内底板３０３（図示せず）と、内背板３０４とで構成される。また、内前板３０１は外化粧板４０１より常に１００ｍｍ程度オフセットされるように内取っ手３０６が取り付けられ、この空間に背の高い一升瓶などを収納できるスペースを確保している。
【００１４】
また、内引き出しは高さを変えることができる構造を有しており、その詳細分解を図２に示す。スライドレール３０５には、内サイドパネル３０１側に突き出した引っ掛けピン３０７がビス３０８により固定されている。一方、内サイドパネル３０１には、波状の溝３０９が形成されており、溝３０９の５か所には袋小路状に形成された袋小路部３１０が形成されている。この袋小路部３１０が引っ掛けピン３０７に引っ掛かることで内引き出し３００を所定高さに維持することができ、この袋小路部３１０が引っ掛けピン３０７に引っ掛かる高さを変更することで、内引き出し３００の高さを変更することができる。よって、使用者の収納物に合わせて高さを変更することで収納性の良い引き出しとなる。
【００１５】
連動機構５００周辺（図１中のＡ部）の詳細を図３に示す。説明のため、一部透明図としている。
連動機構５００は、外ギャラリーバー４０５に取り付けられた下側ラック５０１と、この下側ラック５０１と噛み合う下側ギア５０２と、この下側ギア５０２と噛み合う上側ギア５２０と、さらにこの上側ギア５２０と噛み合いスライドレール３０５にに取り付けられた上側ラック５０４と、下側ギア５０２と上側ギア５２０とが回動自在に取り付けられたギアプレート５０７と、ギアプレート５０７に取り付け可能で下側ギア５０２と上側ギア５２０を覆うギアカバー５０８と、図中Ｂ部を拡大した図４に示すように、上側ラック５０４に回動自在に備え付けられたラック送りピン５０５と、ラック送りピン５０５を図４の位置から反時計方向に回転するのを抑制するストッパー５０６と、で構成される。ギアプレート５０７は、キャビネット側板１０１に固定されている。よって、連動機構部のほとんどは引き出しと切り離されているため、引き出しを取り外しても余計な突起物がなく施工時の破損を防ぐことができる。
また、上側ギア５２０には円周上に並んだ複数の突起部５２１が形成されている。
【００１６】
図５は、連動機構５００周辺の拡大図であり、特にギアやラックやラック送りピンなどの相対位置が分かりやすいように表したものである。
下側ラック５０１と下側ギア５０２と上側ギア５２０と上側ラック５０４とは、各歯が噛み合うように略垂直方向に並んでいる。その少し外側にラック送りピン５０５と上側ラック５２０の突起部５２１とが噛み合うように並んでいる。このラックとギアの組み合わせ、およびラック送りピンと突起部の組み合わせによって外引き出しと内引き出しを連動させることができる。
ここで、連動機構５００は、内引き出しを連動させないことも可能である。内引き出しを連動させない場合は、下側ラック５０１を取り付けている外ギャラリーバー４０５を円周方向に９０度回転させることで、下側ラック５０１が下側ギア５０２と噛み合わないように設定する。こうすることで、外引き出しの使用頻度が高い場合には、外引き出しだけを引き出すことができ、内引き出しを使用する場合は、内引き出しの内取っ手を掴んで引き出すことができる。
【００１７】
次に、外引き出しと内引き出しとが連動機構によって動く様子を図７および図８で説明する。
図７は開口操作の動きを示したものである。
図７（Ａ）は、外引き出し４００、内引き出し３００とも全閉状態の位置を表している。この状態では、下側ラック５０１が下側ギア５０２より後方に位置しており、両者が噛み合っていない。また上側ラック５０４も上側ギア５２０より後方に位置しており、両者が噛み合っていない。
なお、ここでは、全閉状態において内引き出し３００の内前板３０１は、外引き出し４００の前化粧板４０１より約１００ｍｍ程度後退しており、この空間を確保することによって、例えば一升瓶のような背の高い収納物を収納することができる。
図７（Ｂ）に、全閉状態から、略５０ｍｍ外引き出し４００を引き出したところの模式図を示す。外引き出し４００のスライドレールがソフトクローズ機構のバネから切り離され、同時に初めて下側ラック５０１が下側ギア５０２と噛み合い始め、下側ギア５０２が反時計方向に回転することで上側ギア５２０が時計方向に回転を始める。
【００１８】
この段階における上側ギア５２０と上側ラック５０４の拡大図を図８に示す。図８（Ａ）は、上側ギア５２０が時計方向に回転し始めたところであり、上側ギア５２０と上側ラック５０４とは噛み合っていない。ここから上側ギア５２０がさらに時計方向に回転すると図８（Ｂ）となる。図８（Ｂ）では、上側ギア５２０から突き出した突起部５２１の一つがラック送りピン５０５と当接することで、ラック送りピン５０５は前方に押し出されるように回転しようとするが、ストッパー５０６によって回転を抑制されるため、ラック送りピン５０５は回転できないまま前方に押し出される。この動きによってラック送りピン５０５を固定している上側ラック５０４が前方に押し出される。
【００１９】
図８（Ｃ）にラック送りピン５０５および上側ラック５０４が前方に押し出され、上側ギア５２０と上側ラック５０４が噛み合い始めた状態の模式図を示す。この状態になると、ここからは上側ギア５２０と上側ラック５０４との噛み合いによって上側ラック５０４は前方に押し出される。つまり上側ラック５０４と一体の内引き出し３００が前方に押し出される。
【００２０】
図７（Ｃ）は、下側ラック５０１、下側ギア５０２、上側ギア５２０、上側ラック５０４がそれぞれ噛み合っている状態を示した模式図である。外引き出し４００を前方に移動すると、外引き出し４００と一体の下側ラック５０１が前方に移動し、これと噛み合った下側ギア５０２が反時計方向に回転し、さらに上側ギア５２０は時計方向に回転し、上側ラック５０４が前方に押し出されることで内引き出し３００が開方向に移動する。なお、この時、上側ラック５０４と下側ラック５０１は同じ送り量となるため、外引き出し４００と内引き出し３００は同じ速度で引き出されることとなる。外引き出し４００と内引き出し３００のどちらかだけが、止まったりすることなく開操作をすることができる。
図７（Ｄ）に、外引き出し４００を略半分まで開口した状態の模式図を示す。ここまで開口すると下側ラック５０１は下側ギア５０２を通り過ぎて噛み合わなくなる。よって下側ラック５０１と下側ギア５０２が切り離されることで、外引き出し４００と内引き出し３００の連動が切り離される。
そこからさらに外引き出し４００だけを引き出した状態の模式図を図７（Ｅ）に示す。この状態になると、外引き出し４００および内引き出し３００の両方を一度に見渡すことができ、収納物の一覧性が向上する。つまり、忘れがちな収納物を一目で見渡すことができ、使用者の使い勝手が向上する。
また、内引き出し３００をさらに引き出した場合の模式図を図７（Ｆ）に示す。内引き出し３００の内取っ手３０６をつかんで図７、この状態まで引き出すことで内引き出し３００の収納物を容易に取り出すことができる。
さらに、内引き出し３００だけを押し込んだ場合の模式図を図７（Ｇ）に示す。内引き出し３００の内前板３０１が、外引き出し４００の外背板４０４より後方に位置するまで内引き出し３００を押し込むことで、外引き出し４００内の収納物を容易に取り出すことができる。
【００２１】
図６にソフトクローズ機構を有するスライドレールの操作力を示す。なお、各線の重なっている部分は、表示を見やすくするため少しずらしている。
図６の横軸は全閉状態からの引き出しの開口距離であり、縦軸はその時点の操作力を示している。なお、ここではゆっくりと引き出した場合、つまり引き出しの開口速度が遅い場合を示している。細い実線で示したものが内引き出しを備えていない、つまり、外引き出し一つ分の操作力である。全閉から５０ｍｍまではソフトクローズ機構のバネをひき伸ばすため、バネの引きのばし量に比例して操作力が大きくなっている。５０ｍｍのところでバネと切り離されるため、急に操作力が軽くなり、その後はレールの摺動性による操作力となる。このようにソフトクローズ機構付きのレールの場合、その機能上引き始めから５０ｍｍ程度までの初期において、大きな操作力が必要となる。
【００２２】
図６グラフ上の太い実線が、本発明の実施例における連動機構の全閉からの開口時の操作力を示したものである。
また細い一点鎖線と細い点線は、従来技術の連動操作力を示している。細い一点鎖線は、外引き出しが全開直前まで引き出されてから内引き出しと連動する場合の操作力を示している。初期の５０ｍｍでは、外引き出しのソフトクローズ機構のバネを伸ばすために操作力が大きくなり、いったん軽くなった後に、外引き出しの全開直前で内引き出しのソフトクローズのバネを伸ばすために再び操作力が重くなる。使用者にとっては、いったん軽くなったところで力を抜き、内引き出しを引き出すところで再び力を入れなくてはならず、２つの引き出しを別々に引き出しているように感じ操作性が悪い。
一方、細い点線の従来技術は、外引き出しと内引き出しを同時に引き出す場合の操作力を示している。引き始めから５０ｍｍまでは、内引き出しと外引き出しが備えるソフトクローズ機構のバネを同時に引き伸ばすため、外引き出し一つ分の操作力の二倍程度の操作力が必要となり、操作性が悪い。
最後に本発明の実施例における操作力の変化に着目してみると、本発明の実施例における操作力（太い実線）は、前述の実施例の動作で説明したとおり、最初の５０ｍｍは外引き出しのソフトクローズ機構のバネだけを伸ばし、その直後に内引き出しと連動を始め、内引き出しのソフトクローズ機構のバネを引き伸ばす。よって、図のように連続的な操作力となり、操作感としては、一つの引き出しを引き出しているように感じる。また操作力のピーク値は、細い点線の従来技術の約１／２程度まで低減しており、まるで一つの引き出しを引いているような操作感で外引き出しと内引き出しの両方を引き出すことができる。
上記の効果は、外引き出しのソフトクローズが解除されたのとほぼ同時に内引き出しが連動する場合に最も効力を発揮する。しかし、必ずしもこの一点のタイミングだけではない。外引き出しの操作速度を考慮すると、外引き出しのソフトクローズが解除されたところから、好ましくは０ｃｍ以上、８ｃｍ未満の空隙の後に内引き出しが連動しても、使用者にとっては連続的に感じるため、操作感は良い。特に好ましくは、０ｃｍ〜５ｃｍ以内の空隙の後に内引き出しが連動されると、使用者にとっては連続的に感じるため、操作感はより良い。一方、約８ｃｍ以上の空隙があると、使用者は、いったん軽くなって力を抜いた後に内引き出しの連動で再び力を入れるという感覚となり、操作感が悪い。
【００２３】
引き出しを開いた状態から全閉状態になるまでの動きを説明する。基本的には外引き出し４００を押し込むと、内引き出し３００の内取っ手３０６に外引き出し４００の外化粧板４０１の裏面が当接し、そのまま外引き出し４００をさらに押し込むと内引き出し３００も押し込まれる。
その後、下側ラック５０１と下側ギア５０２さらには上側ラック５０４と下側ギア５２０が噛み合うと、ギアによって外引き出しと内引き出しが連動して押し込まれる。最後５０ｍｍでは、下側ラック５０１と下側ギア５０２が噛み合わないが、ソフトクローズ機構によって外引き出し４００は全閉状態まで閉まる。また内引き出し３００側も上側ラック５０４と上側ギア５２０が噛み合わないところがあるが、ここもソフトクローズ機構によって、全閉状態まで閉まりきることができる。
【００２４】
なお、図９のように内引き出し３００だけ先に閉状態となる場合があるが、この場合は、図１０のように、下側ラック５０１と下側ギア５０２が噛み合い上側ギア５２０が反時計方向に回転する。しかし上側ギア５２０と上側ラック５０４はすでに噛み合っていないため、内引き出し３００が移動することはない。また上側ギア５２０の突起部５２１とラック送りピン５０５については、図１０のように、ラック送りピン５０５が時計回りに回動し、上側ギア５２０の突起部５２１から逃げる。よって上側ギア５２０が閉方向に回転しても干渉して引っ掛かることがない。
【００２５】
以上の本実施例に示したように、本発明の引き出し付きキャビネットにおいては、内引き出しを外引き出しと連動させることで、内引き出しの使い勝手を向上するとともに、その連動操作においては、外引き出しを一定距離だけ引き出した後に内引き出しの連動が始まる構造とすることで、引き出しの引き始めの操作力を軽減させることができる。
また、上記のとおり内引き出しの連動を遅らせることで、引き出しが開口した時点で外引き出しと内引き出しを一度に見渡すことができる。
また、外引き出しに設けられた付勢手段の影響がなくなるのに合わせて内引き出しが連動して引き出され始めるようにしたため、引き出し操作が軽くなった後に、再び重くなるようなことを防止でき、引き出し始めから引き出し終りまでの一連の引き出し操作性を良好にすることができる。
さらに、外引き出しと内引き出しを一定距離連動させた後に連動を解除することで、解除後は外引き出しと内気引き出しを自由に出し入れできるので、内引き出しや外引き出しの収納物を出し入れし易くなる。
さらに、内引き出しの高さを可変できる構造とすることで、外引き出しと内引き出しの収納空間を使用者に合わせて変更でき、使い勝手が良くなる。
さらに連動機構は、内引き出しを連動させる場合と連動させない場合を選択できる構造とすることで、外引き出しの使用頻度が高い場合は連動をしない設定にでき、使用者の利用状況によって引き出しの開口を選択できるため使い勝手が良くなる。
さらに、連動機構の主要部分をキャビネット側に固定することで、引き出しを取り外しても余計な突起物がなく施工時の破損を防ぐことができる。
【００２６】
内引き出しを外引き出しから遅らせて連動させる機構は上記に限らない。例えば、上側ギアまたは下側ギアの軸にワンウェイクラッチを介在させることで、ラック送りピンや突起部を簡略することができる。さらに上側ギアのギア比を下側ギアに比べて小さくする構造とすれば、図６の実線の二つ目の山のピーク値を小さくすることも可能である。
さらに、全閉状態において、内引き出しの内前板が外引き出しの外化粧板の裏面とほぼ当接する位置になるまで内引き出しを大きくしても構わない。こうすることで一升瓶のような背の高い収納物が無い場合は、内引き出しを大きく取ることで収納空間を最大限に生かすことができる。また、内引き出しの内取っ手を除くこともできる。
さらに、内引き出しの内取っ手を図１１のようにしても構わない。板状の内取っ手３０６ｂは内前板３０１に上端と下端に引っ掛けるようにして、水平方向の任意の位置に固定する。こうすることで外引き出しの手前側の背の高い収納物の空間を確保するとともに、その収納物と干渉しない位置に内取っ手３０６ｂを設定することができる。このような内取っ手の場合、図７（Ｄ）の状態において、外引き出しの手前側に収納している背の高い収納物を内取っ手３０６ｂに干渉することなく容易に取り出すことができる。
【００２７】
上記実施例では、外引き出しと内引き出しの両方にソフトクローズ機構を備えたが、本発明は外引き出しにのみソフトクローズ機構が付いていれば、同様の効果を有する。これは、引き込み機能を有していない内引き出しを引き出す場合も、動かし始める時の静止摩擦や、使用者の期待する速度まで加速させる慣性力など、何らかの力が必要となるためである。
また、ここではバネを内蔵したソフトクローズ機構を例に出したが、ダンパー機能のない、単なる引き込み機能だけでも構わない。また、引き込み機能はバネだけでなく、レールの傾斜による引き込みや、磁石による引き込みなども考えられる。
【符号の説明】
【００２８】
１００…キャビネット
１０１…キャビネット側板
１０２…キャビネット裏板
１０４…キャビネット底板
２００…上段引き出し
３００…内引き出し
３０１…内前板
３０２…内サイドパネル
３０３…内底板
３０４…内背板
３０５…スライドレール
３０６…内取っ手
３０６ｂ…内取っ手
３０７…引っ掛けピン
３０８…ビス
３０９…溝
３１０…袋小路部
４００…外引き出し
４０１…外化粧板
４０２…外サイドパネル
４０３…外底板
４０４…外背板
４０５…外ギャラリーバー
５００…連動機構
５０１…下側ラック
５０２…下側ギア
５０４…上側ラック
５０５…ラック送りピン
５０６…ストッパー
５０７…ギアプレート
５０８…ギアカバー
５２０…上側ギア
５２１…突起部
【図１】
2011250869.tif 000003
【図２】
2011250869.tif 000004
【図３】
2011250869.tif 000005
【図４】
2011250869.tif 000006
【図５】
2011250869.tif 000007
【図６】
2011250869.tif 000008
【図７】
2011250869.tif 000009
【図８】
2011250869.tif 000010
【図９】
2011250869.tif 000011
【図１０】
2011250869.tif 000012
【図１１】
2011250869.tif 000013